(57)【要約】【課題】  防塵部材に付着した異物を除去するためには、異物の防塵部材への付着力を上回る力を光軸方向に異物に対して加えることで、異物を防塵部材から分離させる必要があり、大きな電力を要し、電力負荷増によって電力の供給が不安定となり、カメラに問題が発生する。【解決手段】  被写体の光学像を光電信号に変換する撮像手段と、該撮像手段の前面に配設された光学部材と、該光学部材表面へ付着した異物を振動で除去する加振手段と、手動操作される手動操作部材と、該手動操作部材の動作に連動する連動手段とを備えたデジタルカメラにおいて、前記加振手段は前記連動手段に連動するようにする。【選択図】  図５
2010130079.tif 000002
【特許請求の範囲】
【請求項１】
被写体の光学像を光電信号に変換する撮像手段と、該撮像手段の前面に配設された光学部材と、該光学部材表面へ付着した異物を振動で除去する加振手段と、手動操作される手動操作部材と、該手動操作部材の動作に連動する連動手段とを備えたデジタルカメラにおいて、
前記加振手段は前記連動手段に連動することを特徴とするデジタルカメラ。
【請求項２】
請求項1に記載のデジタルカメラにおいて、前記手動操作部材とは、レンズ鏡筒、電池蓋、記憶媒体カード蓋であることを特徴とするデジタルカメラ。
【発明の詳細な説明】
【技術分野】
【０００１】
本発明はデジタルカメラに関し、特にデジタルカメラに組み込まれている光学部材の表面に付着した異物を除去する機能を有するデジタルカメラに関するものである。
【背景技術】
【０００２】
デジタルカメラは、被写体像を写し込む媒体として、従来の銀塩フィルムの代わりにＣＭＯＳ等の撮像素子を用いている。撮像素子で得られた画像データを記憶媒体に記録し、同一の撮像素子で全ての駒に係る撮影を行なっている。
【０００３】
ところで、撮像面となる撮像素子は、所定の位置に固定的に配備され、従来の銀塩カメラのように、１駒の撮影を行なう毎に移動されることはない。従って、異物が撮像素子の焦点面（撮像面）に至る光路、例えば撮像素子を保護するためのカバーガラスの所定領域に付着すると、その異物を強制的に除去しない限り、撮影した駒ごとに撮影画像に異物の像が映り込んでしまうという問題がある。
【０００４】
このような異物は、レンズ交換時に塵埃が外部から侵入したり、カメラ内部でのシャッタやミラーの動作に伴って発生し、その構造部材である樹脂などの微細な磨耗紛が原因と考えられている。このような原因で発生した異物が、特に撮像素子の保護用のカバーガラスとカバーガラスの全面に配設されている赤外カットフィルタや、光学ローパスフィルタなどの光学フィルタの間に入り込んでしまう場合がある。このために、撮像素子の保護用のカバーガラスと光学フィルタとの間に異物が入り込まないように密閉構造にすることは有効なものであった。
【０００５】
しかしながら、光学フィルタの撮像素子に対向する側と反対側（レンズ側）の表面に異物が付着した場合、それが焦点面（撮像面）の近傍である場合には、その異物が影となって撮像素子に写り込んでしまうという問題が依然として残っている。
【０００６】
そこで、このような問題点を解決するために、撮像素子の被写体側にある光を透過する防塵部材を設け、圧電素子によりこの防塵部材を振動させることで、その防塵部材の表面に付着した塵埃などの異物を除去する構造が提案されている。（特許文献１参照）。
【特許文献１】特開２００３-３１９２２２号公報
【発明の開示】
【発明が解決しようとする課題】
【０００７】
上述した防塵構造では、防塵部材の表面に付着した異物を除去するために、防塵部材に接合させた圧電素子に電圧を印加し、防塵部材を光軸方向に変位させ膜振動をさせている。よって、防塵部材に付着した異物を除去するためには、異物の防塵部材への付着力を上回る力を光軸方向に異物に対して加えることで、異物を防塵部材から分離させる必要があり、大きな電力を要し、電力負荷増によって電力の供給が不安定となり、カメラに問題が発生する可能性があった。
【０００８】
本発明は、このような従来技術の問題点に鑑みなされたもので、誰でも容易操作かつ確実に光学部材の表面に付着した異物を除去することができるデジタルカメラを提供することにある。
【課題を解決するための手段】
【０００９】
上記課題を鑑み、本件では以下に示す構成にすることで課題を解決した。
【００１０】
本出願に係る請求項1の発明では、被写体の光学像を光電信号に変換する撮像手段と、該撮像手段の前面に配設された光学部材と、該光学部材表面へ付着した異物を振動で除去する加振手段と、手動操作される手動操作部材と、該手動操作部材の動作に連動する連動手段とを備えたデジタルカメラにおいて、前記加振手段は前記連動手段に連動することを特徴とする。
【００１１】
本出願に係る請求項２の発明では、請求項1に記載のデジタルカメラにおいて、前記手動操作部材とは、レンズ鏡筒、電池蓋、記憶媒体カード蓋であることを特徴とする。
【発明の効果】
【００１２】
本出願に係る請求項１と請求項２の発明を実施することで、手動操作部材を手動操作する際、該手動操作する部材の動作に連動する連動部材の運動エネルギーを加振手段へメカ的に伝達し、光学部材表面へ付着した異物を振動で除去させ、従来からの加振手段例えば圧電素子タイプなどのような駆動電気回路が必要なく、省電力になるだけでなく、デジタルカメラ全体の電気回路の大型化やコストの増大を防ぐことができる。
【発明を実施するための最良の形態】
【００１３】
次に、本発明の詳細を実施例の記述に従って説明する。
【実施例１】
【００１４】
以下、添付図面を参照して本発明を実施するため最良の形態を詳細に説明する。
【００１５】
図１〜図3は本実施の形態に係るデジタルカメラの外観を示す図である。具体的には、図１はカメラ前方より見た外観斜視図であり、撮影レンズユニットを外した状態を示す。図２はカメラ背面側より見た外観斜視図である。
【００１６】
図１において、１はカメラ本体であり、撮影時に使用者がカメラを安定して握り易いように前方に突出したグリップ部１ａが設けられている。２はマウント部であり、着脱可能な撮影レンズ２００をカメラ本体に固定させる。マウント接点２１を介して、カメラ本体と撮影レンズユニットとの間で制御信号、状態信号、データ信号などの通信を行うと共に、撮影レンズユニットへの電力供給を行っている。また、マウント接点２１は電気通信のみならず、光通信、音声通信などを可能なように構成してもよい。
【００１７】
４は撮影レンズユニットを取り外す際に押し込むレンズロック解除釦である。５はカメラ筐体内に配置されたミラーボックスで、撮影レンズ２００を通過した撮影光束はここへ導かれる。
【００１８】
ミラーボックス５の内部には、クイックリターンミラー６が配設されている。クイックリターンミラー６は、撮影光束をペンタプリズム２２（図３を参照）の方向へ導くために撮影光軸に対して４５°の角度に保持される状態と、撮像素子３３（図３を参照）の方向へ導くために撮影光束から退避した位置に保持される状態とを取り得る。
【００１９】
カメラ上部のグリップ側には、撮影開始の起動スイッチとしてのシャッタボタン７と、撮影時の動作モードに応じてシャッタスピードやレンズ絞り値を設定するためのメイン操作ダイヤル８と、撮影系の上面動作モード設定ボタン１０が配置されている。これらの操作部材の操作結果の一部は、ＬＣＤ表示パネル９に表示される。
【００２０】
シャッタボタン７は、第１ストロークでＳＷ１_７ａがＯＮし、第２ストロークにてＳＷ２_７ｂがＯＮする構成となっている。
【００２１】
また、上面動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示されるようになっている。
【００２２】
カメラ上部中央には、11はカメラ本体に対してポップアップするストロボユニットと、12はフラッシュ取付け用のシュー溝と、13はフラッシュ接点と、カメラ上部右よりには撮影モード設定ダイヤル１４が配置されている。
【００２３】
カメラ右側面には、15は開閉可能な外部端子蓋であり、この外部端子蓋１５を開けた内部には、外部インタフェースとしてビデオ信号出力用ジャック１６とＵＳＢ出力用コネクタ１７が納められている。
【００２４】
図２において、カメラ背面側には、光軸中心上の上方にファインダ接眼窓18が設けられ、更にカメラ背面中央には画像表示可能なカラー液晶表示部１９が設けられている。20はカラー液晶表示部１９の横に配置されたサブ操作ダイヤルであり、メイン操作ダイヤル８の機能の補助的役割を担い、例えばカメラのＡＥモードでは自動露出装置により算出された適正露出値に対する露出補正量を設定するために使用される。あるいは、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定するように使用される。また、このサブ操作ダイヤル２０は、カラー液晶表示部１９に表示される撮影済み画像の表示選択手段としても用いられる。
【００２５】
４３はカメラの動作を起動もしくは停止するためのメインスイッチである。
【００２６】
図３は、本実施の形態に係るデジタルカメラの主要な電気的構成を示すブロック図であり、図１〜図２と共通するものは同一番号を付けている。
【００２７】
図３において、１００はカメラ本体に内蔵されたマイクロコンピュータの中央処理装置（以下、ＭＰＵという）である。なお、ＭＰＵ１００は、カメラの動作を制御するものであり、各要素に対して様々な処理や指示を実行する。
【００２８】
１００ａはＭＰＵ１００に内蔵されたＥＥＰＲＯＭであり、時計計測回路１０９の時計情報やその他の撮影情報を記憶可能である。
【００２９】
ＭＰＵ１００には、ミラー駆動回路１０１、焦点検出回路１０２、シャッタ駆動回路１０３、映像信号処理回路１０４、スイッチセンス回路１０５、測光回路１０６が接続されている。また、LCD駆動回路１０７、バッテリチェック回路１０８、時刻計測回路１０９、電源供給回路１１０が接続されている。これらの回路はMPUの制御により動作するものである。
【００３０】
また、ＭＰＵ１００は、撮影レンズユニット内に配置されたレンズ制御回路２０１と、マウント接点２１を介して通信を行う。マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００及び絞り２０４の駆動を、ＡＦ駆動回路２０２及び絞り駆動回路２０３を介して行うことが可能となる。
【００３１】
なお、本実施の形態では便宜上１枚の撮影レンズ２００で示しているが、実際は多数のレンズ群により構成されている。
【００３２】
ＡＦ駆動回路２０２は、たとえばステッピングモータによって構成され、レンズ制御回路２０１の制御によって撮影レンズ２００内のフォーカスレンズ位置を変化させることにより、撮像素子３３に撮影光束の焦点を合わせるように調整する。２０３は絞り駆動回路であり、たとえばオートアイリスなどによって構成され、レンズ制御回路２０１の制御によって絞り２０４を変化させ、光学的な絞り値を得るように構成されている。
【００３３】
６はメインミラーであり、光学式ビューファインダを用いて撮影する場合、撮影レンズ２００により結像される被写体像をペンタプリズム２２へ導くとともに、その一部を透過させ、サブミラー３０を通して焦点検出用センサユニット３１へ導き、ミラー駆動回路１０１により、ファインダにて被写体像を観察可能な位置と、撮影時に被写体光束の光路から待避する退避位置とを可動自在に構成されている。
【００３４】
３１は不図示である結像面近傍に配置されたフィールドレンズ、反射ミラー及び、２次結像レンズ、絞り、複数のＣＣＤから成るラインセンサ等から構成されている周知の位相差方式の焦点検出センサユニットである。
【００３５】
３０はメインミラー６の一部を透過した被写体光を反射させて、焦点検出センサユニット３１へ被写体像を導くためのサブミラーである。サブミラー３０は、メインミラー６またはメインミラー６のミラー駆動回路１０１と連動する。ミラー駆動回路101は、たとえばＤＣモータとギヤトレインなどから構成され、ＭＰＵ１００の制御によってメインミラー６やサブミラー３０を駆動させる。
【００３６】
そして、メインミラー６がファインダにて被写体像を観察可能な位置にあるときには、焦点検出用センサ３１へ被写体光を導く位置に、また撮影時には被写体光束の光路から待避する退避位置に可動自在に構成されている。
【００３７】
２２はペンタプリズムであり、メインミラー６によって導かれた被写体像を正立正像に変換反射する光学部材である。撮影レンズ２００を通過した被写体光束は、絞り２０４を通過してメインミラー６で反射され、ペンタプリズム２２に導かれファインダ接眼窓１８で被写体像を観察する。さらには測光センサ３７へも導かれる。
【００３８】
また、メインミラー６を透過した光束はサブミラー３０で反射され、撮像素子３３面とほぼ等価な位置に置かれた焦点検出センサユニット３１の検出面上で再結像される。その光像は、電気的なイメージ信号に変換されて焦点検出回路１０２に供給される。
【００３９】
焦点検出回路１０２はＭＰＵ１００の信号に従い、焦点検出センサユニット３１の蓄積制御と読出し制御を行って、画素情報をＭＰＵ１００へ出力する。ＭＰＵ１００は焦点検出回路１０２からの被写体像のイメージ信号に基づいて、位相差検出法による焦点検出演算を行う。そして、撮影レンズ２００による結像面と予定結像面との差、すなわちデフォーカス量およびデフォーカス方向を求める。そして、ＭＰＵ１００は算出したデフォーカス量およびデフォーカス方向に基づいて、レンズ制御回路２０１，ＡＦ駆動回路２０２を介して、撮影レンズ２００内のフォーカスレンズ位置を変化させ合焦位置まで駆動する。
【００４０】
３２は機械シャッタ装置であり、ファインダ観察時には被写体光束を遮る。また撮像時にはレリーズ信号に応じて、被写体光束の光路から待避して露光を開始させる不図示の先羽根群と、ファインダ観察時には被写体光束の光路から待避しているとともに、撮像時には先羽根群の走行開始後所定のタイミングで被写体光束を遮光する不図示の後羽根群とを有するフォーカルプレーンシャッタである。機械シャッタ装置３２は、ＭＰＵ１００の指令を受けたシャッタ駆動回路１０３によって制御される。
【００４１】
本実施形態においては、先羽根群と後羽根群の両方とを有している場合について説明しているが、遮蔽部材を１つだけとして露光を開始する場合は被写体光束の光路から退避し、撮影の終了後、再び被写体光束の光路を遮蔽する位置まで戻るような構成としてもよい。
【００４２】
３３は撮像素子で、２次元型撮像デバイスであるＣＭＯＳセンサが用いられている。撮像デバイスには、ＣＣＤ型、ＣＭＯＳ型およびＣＩＤ型など様々な形態があり、何れの形態の撮像デバイスを採用してもよい。本実施の形態においては、ＣＭＯＳ型の撮像素子が採用されている。
【００４３】
３４はクランプ／ＣＤＳ（相関二重サンプリング）回路であり、Ａ／Ｄ変換する前の基本的なアナログ処理を行うとともに、クランプレベルの変更も可能である。３５はＡＧＣ（自動利得調整装置）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００４４】
１０４は映像信号処理回路であり、デジタル化された撮像素子３３の画像データに対してガンマ／ニー処理、フィルタ処理、モニタ表示用の情報合成処理など、ハードウエアによる画像処理全般を担当する。この映像信号処理回路１０４からのモニタ表示用の画像データは、カラー液晶駆動回路１１２を介してカラー液晶表示１９に表示される。これらの機能の切換えは、ＭＰＵ１００とのデータ交換により行われ、必要に応じて撮像素子３３の出力信号のホワイトバランス情報をＭＰＵ１００に出力可能であり、その情報を基にＭＰＵ１００はホワイトバランス調整やゲイン調整を行う。
【００４５】
また、ＭＰＵ１００の指示により、何もせずにメモリコントローラ３８を通じて、バッファメモリ３７に画像データを保存することも可能である。また、映像信号処理回路１０４は、ＪＰＥＧなどの圧縮処理を行う機能も有している。また、連写の場合は一旦、バッファメモリ３７に画像データを格納し、処理時間がかかる場合にメモリコントローラ３８を通して未処理の画像データを読み出し、映像信号処理回路１０４で画像処理や圧縮処理を行い、連写スピードを稼ぐ構成となっている。連写枚数は、バッファメモリ３７の容量に大きく左右される。
【００４６】
メモリコントローラ３８では、映像信号処理回路１０４から入力された未処理のデジタル画像データをバッファメモリ３７に格納する。そして、処理済みのデジタル画像データをメモリ３９に格納したり、あるいはその逆にバッファメモリ３７やメモリ３９から画像データを映像信号処理回路１０４に出力したりする。また、メモリコントローラ３８は、外部インタフェース４０（図１におけるビデオ信号出力用ジャック１６，ＵＳＢ出力用コネクタ１７の相当する）から送られてくる映像をメモリ３９に記憶することや、メモリ３９に記憶されている画像を外部インタフェース４０から出力可能である。なおメモリ３９は、カメラ本体に対して取外しが可能である。
【００４７】
１０５はスイッチセンス回路であり、各スイッチの操作状態に応じて各部を制御する。７ａはレリーズボタン７の第１ストロークによりオンするスイッチＳＷ１である。７ｂはレリーズボタン７の第２ストロークによりオンするスイッチＳＷ２である。スイッチＳＷ２がオンされると、レリーズ操作が開始される。また、メイン操作ダイヤル８、サブ操作ダイヤル２０、撮影モード設定ダイヤル１４、メインスイッチ４３が接続されていて、各ＳＷの状態をＭＰＵ１００へ送信する。
【００４８】
なお、スイッチセンス回路１０５とメインスイッチ４３とＭＰＵ１００とから電源スイッチを構成している。また、電源スイッチがＯＮされたことが検出されると、電源４２からカメラ本体へ給電が開始される。
【００４９】
１０６は測光回路であり、画面内の各エリアの輝度信号として、測光センサ３７からの出力をＭＰＵ１００に出力する。ＭＰＵ１００は輝度信号をＡ／Ｄ変換し、撮影の露出を算出する。
【００５０】
１０７は液晶表示駆動回路であり、ＭＰＵ１００の表示内容命令に従って、LCD表示パネル９やファインダ内液晶表示装置４１を駆動する。また液晶表示駆動回路１０７は、ＭＰＵ１００の指示により特定のセグメントを点滅表示状態にすることが可能である。なお、液晶表示駆動回路１０７とLCD表示パネル９とから表示手段を構成し、さらに、液晶表示駆動回路１０７とＭＰＵ１００とから表示制御手段を構成している。
【００５１】
１０８はバッテリチェック回路であり、ＭＰＵ１００からの信号に従って、所定時間バッテリチェックを行い、その検出出力をＭＰＵ１００へ送る。なお、バッテリチェック回路１０８とＭＰＵ１００とからバッテリチェック手段を構成している。
【００５２】
１０９は時刻計測回路でメインスイッチ４３がＯＦＦされて次にＯＮされるまでの時間や日付を計測し、ＭＰＵ１００からの指令により、計測結果をＭＰＵ１００へ送信することができる。なお、時刻計測回路１０９とＭＰＵ１００とから、計測手段を構成している。
【００５３】
４２は電源部であり、各ＩＣ（集積回路）や駆動系に必要な電源を供給する。
【００５４】
４１０は水晶からなる複屈折板と位相板と複屈折板を複数枚貼り合わせて積層した光学ローパスフィルタで、４００は、光学ローパスフィルタ４１０、撮像素子３３と共にユニット化された撮像ユニットである。
【００５５】
図４はデジタルカメラの前方より見た正面図であり、図５(a) はデジタルカメラの右側より見た加振手段の初期位置を示す構成図、撮影レンズを装着した状態である。図５(b)はデジタルカメラの右側より見た加振手段の移動後の位置を示す構成図、撮影レンズを装着した状態である。
【００５６】
図４において、カメラ側マウント２の内周面の内側に配置され、かつ、撮影レンズ２００をカメラから着脱する際に、撮影レンズ側マウント２００aの外周面と接触しながら回転可能な回転部材ローラー４７と、該ローラー４７の回転運動エネルギーに伝達され、ローラー４７の１回転に応じて1山を切換えるカム面４８aを有するカム部材４８と、前記ローラー４７とカム部材４８のカム面４８aにメカ的に連動させて、光学ローパスフィルタ４１０を振動させる加振部材４３０が設けられている。
【００５７】
前記加振部材４３０はカム当接部４３０aと光学ローパスフィルタ当接部４３０bを有し、加振部材４３０の略中央部に少なくとも1つ以上の長穴４３０ｃが設けられ、その長穴４３０ｃにガイドピン４４a、４４bと勘合し、バネ４５の付勢力を抗して、図中の矢印Ａ方向と矢印Ｂ方向に沿って往復移動できるように支持されている。
【００５８】
図５(a)に示すよう、撮影レンズ２００をカメラからの着脱手動操作しなかった時、加振部材４３０は常に付勢手段であるバネ４５の付勢力により、カム当接部４３０aとカム部材４８と当接し、常に初期位置に戻れるように構成されている。
【００５９】
図５(b)に示すよう、撮影レンズ２００をカメラからの着脱手動操作した時、撮影レンズの回転運動エネルギーがローラー４７とカム部材４８に伝達され、加振部材４３０のカム当接部４３０aはカム面４８aの山の切換えに応じて移動され、前記カム面の山が最頂点ときに、光学ローパスフィルタ当接部４３０bは光学ローパスフィルタ４１０に叩きできる位置に移動されるように構成されている。
【００６０】
以上のように構成された加振部材の動作を説明する。
【００６１】
まず、撮影レンズ２００を手動操作着脱する際、ローラー４７はレンズ側マウント２００aの外周面と接触しながら回転し、その回転運動エネルギーがローラー４７からカム部材４８に伝達され、ローラー４７の回転に連動してカム部材４８も回転し、カム面４８aは１回転して１山を切換えれる。加振部材４３０のカム当接部４３０aはカム面４８aの山と当接しながら、ガイドピン４４a、４４bに支持され、バネ４５の付勢力を抗して、図中の矢印Ａ方向に沿うって移動される。ここでは、カム面４８aの山が最頂点ときに、加振部材４３０の光学ローパスフィルタ当接部４３０bが光学ローパスフィルタ４１０の周縁部を接触叩くできる位置に到着し、そして、加振部材４３０のカム当接部４３０aがカム面４８aの山最頂点を乗り越えした後、カム当接部４３０aとカム面４８aとの当接は一時解除され、付勢手段であるバネ４５の力により、ガイドピン４４a、４４bに支持され、図中の矢印Ｂ方向に沿って初期位置に戻され、光学ローパスフィルタ４１０の周縁部から離れた状態になる。
【００６２】
このように、撮影レンズ２００をカメラからの着脱手動操作に連動され、ローラー４７とカム部材４８に回転運動エネルギーを伝達され、カム当接部４３０aとカム面４８aを当接しながら往復移動可能で、光学ローパスフィルタ当接部４３０bが光学ローパスフィルタ４１０の周縁部を接触繰り返し叩き、光学ローパスフィルタ４１０の表面へ付着した異物を振動分離させて落とすことができる。ここでは、ローラー４７の回転回数は、撮影レンズ側マウント直径をローラー直径に割ったの数に比例し（Ｄ1*π/Ｄ2*π）、ローパスフィルタ４１０に対しての繰り返し叩き加振回数を増すために、ローラー４７の直径を変更することで、カム部材４８の山の切換え数も変更可能となる。
【００６３】
また、前記加振部材４３０の光学ローパスフィルタ当接部４３０bが光学ローパスフィルタ４１０の周縁部を繰り返し叩き振動させると同時に、光学ローパスフィルタ４１０からの振動が撮像素子３３に伝達できないように、光学ローパスフィルタ４１０と撮像素子３３との間に弾性部材４１２が設けている。
【００６４】
そして、撮影レンズ２００をカメラからの着脱手動操作が終了すると同時に、ローラー４７とカム部材４８に伝達された回転運動エネルギーが無くなり、加振部材４３０のカム当接部４３０aとカム面４８aを当接しながら往復移動の動作と、光学ローパスフィルタ４１０の周縁部を繰り返し叩き振動も停止状態となります。
【００６５】
ここでは、加振部材４３０に振動させる光学部品としてローパスフィルタ４１０を例示したが、本発明はこれに限定されるものではなく、他の光学部品であっても適用可能である。
【００６６】
また、加振部材４３０に移動加振させるメカ部品としてカム部材４８を例示したが、ローパスフィルタ４１０に対しての加振回数を増すために、カム部材のカム面形状からノコギリ面形状または複数の凹凸面形状を有するの形態であっても適用可能である。
【００６７】
また、光学ローパスフィルタ４１０表面へ付着した異物を叩き振動させて落とす構成として、ローラー４７とカム部材４８と加振部材４３０とを1つの部品で構成した例を例示したが、本発明はこれに限定されるものではなく、複数の部品で構成されたものであっても適用可能である。
【００６８】
以上説明したように本実施の形態によれば、光学部材表面に付着した異物を振動で除去するため、撮影レンズ（手動操作部材）と加振手段との連動構成により、電力を必要としないため、従来からの電力に駆動する加振手段と比べて、省電力にもなり、安定した動作を保証したデジタルカメラを提供できる。
【実施例２】
【００６９】
図６は本実施の形態２に係るデジタルカメラの前方より見た正面図である。
【００７０】
図６において、実施の形態１の手動操作部材である撮影レンズ２００の代わりに、カメラ本体に固定された回転軸49Ｃに支持され、図中の矢印Ｃの方向と矢印Ｄ方向に、所定角度自由に回転可能の電池室内の電池を保護する電池蓋４９を用いている。
【００７１】
この実施の形態２に係るローラー４７とカム部材４８と加振部材４３０とも、実施の形態１の形態と同様に、電池蓋４９の手動操作に連動して、その回転運動エネルギーがローラー４７とカム部材４８に伝達され、加振部材４３０のカム当接部４３０aはカム面４８aの山の切換えに応じて移動され、光学ローパスフィルタ当接部４３０bは光学ローパスフィルタ４１０に叩きできる位置に移動されるように構成されている。
【００７２】
また、以上説明した実施の形態２における構成は、実施の形態１のものとほぼ同じであるから、実施の形態１に示した構造要素と同じものは、図６においても、図４から図５(a)、図５(b)と同じ符号で表示する。
【００７３】
この実施の形態２に係る構成された加振部材の動作を説明する。
【００７４】
まず、電池蓋４９を手動操作で開閉する際、電池蓋４９が収納位置４９aから図中の矢印Ｃの方向である開位置４９cへ移動され、ローラー４７は回転軸４９bの外周面と接触しながら回転し、その回転運動エネルギーがローラー４７からカム部材４８に伝達され、ローラー４７の回転に連動してカム部材４８も回転し、カム面４８aは１回転して１山を切換えれる。加振部材４３０のカム当接部４３０aはカム面４８aの山と当接しながら、ガイドピン４４a、４４bに支持され、バネ４５の付勢力を抗して、図中の矢印Ａ方向に沿うって移動される。ここでは、カム面４８aの山が最頂点ときに、加振部材４３０の光学ローパスフィルタ当接部４３０bが光学ローパスフィルタ４１０の周縁部を接触叩くできる位置に到着し、そして、加振部材４３０のカム当接部４３０aがカム面４８aの山最頂点を乗り越えした後、カム当接部４３０aとカム面４８aとの当接は一時解除され、付勢手段であるバネ４５の力により、ガイドピン４４a、４４bに支持され、図中の矢印Ｂ方向に沿って初期位置に戻され、光学ローパスフィルタ４１０の周縁部から離れた状態になる。
【００７５】
このように、電池蓋４９を回転開閉するの手動操作に連動され、ローラー４７とカム部材４８に回転運動エネルギーを伝達され、カム当接部４３０aとカム面４８aを当接しながら往復移動可能で、光学ローパスフィルタ当接部４３０bが光学ローパスフィルタ４１０の周縁部を接触繰り返し叩き、光学ローパスフィルタ４１０の表面へ付着した異物を振動分離させて落とすことができる。
【００７６】
また、前記加振部材４３０の光学ローパスフィルタ当接部４３０bが光学ローパスフィルタ４１０の周縁部を繰り返し叩き振動させると同時に、光学ローパスフィルタ４１０からの振動が撮像素子３３に伝達できないように、光学ローパスフィルタ４１０と撮像素子３３との間に弾性部材４１２が設けている。
【００７７】
そして、電池蓋４９を回転開閉するの手動操作が終了すると同時に、ローラー４７とカム部材４８に伝達された回転運動エネルギーが無くなり、加振部材４３０のカム当接部４３０aとカム面４８aを当接しながら往復移動の動作と、光学ローパスフィルタ４１０の周縁部を繰り返し叩き振動も停止状態となります。
【００７８】
ここでは、電池蓋４９の回転軸49ｂは丸外周形状を例示したが、ローパスフィルタ４１０に対しての加振効果を増すために、回転軸の外周形状から複数の凸部または突起部を有するの形態であっても適用可能である。
【００７９】
以上説明したように本実施の形態によれば、光学部材表面に付着した異物を振動で除去するため、電池蓋（手動動作部材）と加振部材との連動構成により、電力を必要としないため、従来からの電力に駆動する加振手段と比べて、省電力にもなり、安定した動作を保証したデジタルカメラを提供できる。
【００８０】
さらに、上述した実施の形態１と実施の形態２では、撮影光学系を着脱可能式のデジタルカメラに適用した場合を説明したが、これに限定されず、各種の分野における機器と、撮影光学系一体式のデジタルカメラも適用して効果を発揮することができる。
【図面の簡単な説明】
【００８１】
【図１】本発明の実施の形態1であるデジタルカメラの前方より見た外観斜視図である。
【図２】本発明の実施の形態1であるデジタルカメラの背面側より見た外観斜視図である。
【図３】本発明の実施の形態1であるデジタルカメラの電気的構成を示すブロック図である。
【図４】本発明の実施の形態1であるデジタルカメラの前方より見た正面図である。
【図５】(a)本発明の実施の形態１であるデジタルカメラの右側より見た加振手段の初期位置を示す構成図である。  (b)本発明の実施の形態１であるデジタルカメラの右側より見た加振手段の移動後の位置を示す構成図である。
【図６】本発明の実施の形態２であるデジタルカメラの前方より見た正面図である。
【符号の説明】
【００８２】
１  カメラ本体
１a  グリップ部
２  マウント
４  レンズロック解除ボタン
５  ミラーボックス
６  クイックリターンミラー
７  シャッタボタン
８  メインダイヤル
９  ＬＣＤ表示パネル
１０  上面動作モード設定ボタン
１１  ストロボユニット
１２  シュー溝
１３  フラッシュ接点
１４  撮影モード設定ダイヤル
１５  外部端子蓋
１６  ビデオ信号出力用ジャック
１７  USB出力用コネクタ
１８  ファインダー接眼窓
１９  液晶表示部
２０  サブ操作ダイヤル
２１a  マウント接点
３２  シャッターユニット
３３  撮像素子
【図１】
2010130079.tif 000003
【図２】
2010130079.tif 000004
【図３】
2010130079.tif 000005
【図４】
2010130079.tif 000006
【図５】
2010130079.tif 000007
【図６】
2010130079.tif 000008